(57)【特許請求の範囲】
【請求項１】
使用者が強く握ることにより一塊の髪と接触する髪掴み部より成る第一本体部材及び第二本体部材と、
前記第一及び第二本体部材を回転自在に接続する蝶番手段と、
前記髪掴み部を使用者により強く押し込まれた所で前記髪掴み部を留めるために、前記蝶番手段に対して同軸上に配列され、ラチェット及び滑り摩擦ディスククラッチ機構である滑り摩擦機構から成る調整手段と、
より成る髪保持装置。
【請求項２】
前記滑り摩擦機構は前記第一本体部材における第一表面と、前記第二本体部材における第二表面と、滑り摩擦境界面が第一表面と第二表面の間で生成されるように前記第一表面及び前記第二表面の間の接触を維持する押圧手段とから成る請求項１の髪保持装置。
【請求項３】
前記滑り摩擦境界面は前記蝶番手段に対して垂直に延びる請求項２の髪保持装置。
【請求項４】
前記第一表面及び前記第二表面のうち、少なくともどちらか１つは凹凸表面である請求項２の髪保持装置。
【請求項５】
少なくとも一つの前記凹凸表面はギザギザの表面である請求項４の髪保持装置。
【請求項６】
前記押圧手段は圧縮バネよりなる請求項２の髪保持装置。
【請求項７】
前記押圧手段は引張りバネよりなる請求項２の髪保持装置。
【請求項８】
前記押圧手段はバネクリップよりなる請求項２の髪保持装置。
【請求項９】
少なくとも一つの前記表面が前記第一本体部材及び前記第二本体部材のうち、少なくともどちらか１つと一体となっている請求項２の髪保持装置。
【請求項１０】
少なくとも一つの前記表面は前記第一本体部材及び前記第二本体部材のうち、少なくともどちらか１つにより支持される少なくとも一つのインサートの上に備えられる請求項２の髪保持装置。
【請求項１１】
更に、所定の位置に前記髪掴み部を押圧する手段より成る請求項１の髪保持装置。
【請求項１２】
前記所定の位置に前記髪掴み部を押圧する手段は、前記第一本体部材と接触する第一端及び前記第二本体部材と接触する第二端を持つねじりバネより成る請求項１１の髪保持装置。
【請求項１３】
前記第一本体部材と前記第二本体部材は更に、前記髪掴み部は使用者により強く押し込まれた所から前記髪掴み部を解放するために使用者が握ることのできるハンドル部を有し、前記ねじりバネの前記第一端は前記第一本体部材の前記ハンドル部と接触し、前記ねじりバネの前記第二端は前記第二本体部材の前記ハンドル部と接触している請求項１２の髪保持装置。
【請求項１４】
前記第一本体部材と前記第二本体部材は更に、前記髪掴み部は使用者により強く押し込まれた所から前記髪掴み部を解放するために使用者が握ることのできるハンドル部を有する請求項１の髪保持装置。
【請求項１５】
使用者が強く握ることにより一塊の髪と接触する髪掴み部より成る第一本体部材及び第二本体部材と、
前記第一及び第二本体部材を回転自在に接続する蝶番手段と、
前記髪掴み部を使用者により強く押し込まれた所で前記髪掴み部を留めるために、前記蝶番手段に対して同軸上に配列され、前記押し込まれた所の位置は使用者により加えられる回転力により変更できない、ラチェット及び非滑り摩擦ディスククラッチ機構である非滑り摩擦機構から成る調整手段と、
より成る髪保持装置。
【請求項１６】
使用者が強く握ることにより一塊の髪と接触する髪掴み部より成る第一本体部材及び第二本体部材と、
前記第一及び第二本体部材を回転自在に接続する蝶番手段と、
前記髪掴み部を使用者により強く押し込まれた所で前記髪掴み部を留めるために、前記蝶番手段に対して同軸上に配列され、前記押し込まれた所の位置は使用者により加えられる回転力により変更できず、互いに離れ間に隙間が存在するときのみ変更できる、ラチェット及び非滑り摩擦ディスククラッチ機構である非滑り摩擦機構から成る調整手段と、
より成る髪保持装置。
【請求項１７】
前記非滑り摩擦機構は前記第一本体部材における第一凹凸表面と、前記第二本体部材における第二凹凸表面と、非滑り摩擦境界面が前記第一凹凸表面と前記第二凹凸表面の間で生成するような前記第一凹凸表面と前記第二凹凸表面の間の接触を維持する押圧手段から成る請求項１５又は１６の髪保持装置。
【請求項１８】
前記非滑り摩擦境界面は前記蝶番手段に対して垂直に延びる請求項１７の髪保持装置。
【請求項１９】
前記第一凹凸表面と前記第二凹凸表面は、ギザギザの表面で互いに噛み合う請求項１７の髪保持装置。
【請求項２０】
前記押圧手段は所定の位置に前記髪掴み部を押圧するように前記第一本体部材に接触する第一端及び前記第二本体部材に接触する第二端を持つ引張りバネより成る請求項１７の髪保持装置。
【請求項２１】
使用者の髪から前記装置を解放させる前記引張りバネの押圧力に向かい合う前記第一凹凸表面と前記第二凹凸表面の間で接触を解放する連結解放手段より成る請求項２０の髪保持装置。
【請求項２２】
少なくとも一つの前記凹凸表面は前記第一本体部材と前記第二本体部材のうち、少なくともどちらか１つと一体になっている請求項１７の髪保持装置。
【請求項２３】
少なくとも一つの前記凹凸表面は前記第一本体部材と前記第二本体部材のうち、少なくともどちらか１つにより支持されるインサートの上に備えられる請求項１７の髪保持装置。
【発明の詳細な説明】
【技術分野】
【０００１】
この出願は2003年1月24日提出の米国特許仮出願No.60/442,205、2003年2月4日提出の米国特許仮出願No.60/444,926、2003年5月23日提出の米国特許仮出願No.60/472,953及び2003年7月11日提出の米国特許仮出願No.60/486,485の恩恵を請求する。
【０００２】
本発明は第一本体と第二本体が旋回軸上で接続され、ひと集めにした髪の固まりに強く噛み合うように機能する髪保持及び髪スタイリング装置に関する。
【背景技術】
【０００３】
使用時に人の髪を保持する蝶番式バネ押圧装置はこの技術の中で知られている。この種の装置は長年使用されて来ており、初期の例は米国特許No.2,201,719に記述されている。その装置は代表的に髪グリップ、ハンドル部を含む一対の対面した蝶番で組み立った部材により成る。握り部は押圧装置により閉じる部分又は髪つかみ部分に傾き、最もたびたび傾くのは、その部材のハンドル部の閉じる力を働かせるねじりバネである。装置を動作させるために、使用者は押圧手段の押圧力に打ち勝ち、それにより髪保持部を離すために指圧ハンドル部を握る。握り力を維持する間に、使用者はその装置により掴めるように望みの髪の量を対面する髪掴み部に置く。それから、使用者はハンドル部を離し、ねじりバネは髪つかみ部が束ねた髪又は集めたもじゃもじゃの髪をしっかりと接触させる。
【０００４】
上記タイプの髪保持装置の欠点は使用者の髪の回りの意図する位置に保持させることの失敗である。付け加えて、バネ押圧保持装置は使用者がその装置の傾きばねにより生成されたねじり力より多少きつく髪を保持するようにその装置を調整させない。言い換えれば、先行技術のバネ押圧髪保持装置の緩さ又はきつさは使用者の制御、すなわち厚さ、きめ、長さ等のような使用者の髪タイプ、及び/又は捻り傾きばねのバネ力またはトルク、を超えた因子により決定される。
【０００５】
上記のように髪を固定した後に、握り部をもっときつく固定させる試みとして、その装置の使用者はお互いに内側に向かい髪掴み部をぎゅっと握る。これは留めた髪の一時的な圧力が使用者の望む髪固定位置へ達成させる。しかしながら、握り部材が離されると、圧縮された髪は使用者による瞬間補助的な圧縮に対する膨張力を及ぼす。さらに、膨張する一塊の髪又はもじゃもじゃの髪は髪掴み手段の髪掴み部が傾きバネの捻り力により要求されるように使用者の望む髪固定位置から本来の位置へ後戻りさせる。
【０００６】
押圧手段の押圧力は先行技術の髪保持装置が髪を固定し、そして特定の装置製造者により前もって決定される緩さ又はきつさに直接衝撃を与える。そのような所定の押圧力設定はいくらかの使用者にとって最適かもしれないが他はそうではない。要約すると、先行技術の髪保持装置は使用者がその装置がゆるさ又はきつさを制御及び/又は設定できない。そうする失敗は多くの使用者にその装置の有用性とアピールを減少させる。
【０００７】
ヘヤークリップ及び同等な装置はその技術の中で既知である。しかし、それらは加えられる髪掴み力の範囲の限定もされている。一般的にそれらは普通の閉位置又はせいぜい工場出荷の閉位置を持つ。この所定の位置は使用者の要求及び/又は髪の特性と両立しないので、それらは実用的価値を持たない。たとえば米国特許No.6,082,371の髪保持装置を見てみる。さらに、多数のこれらの装置はその装置の一端で旋回軸で接続される二部材から成る。その蝶番から取り除かれて、その装置の向かい合う端は掛け金、留め金、スナップ、又は同等の留める物、又は閉める物。そのような固定物は使用者の髪に絡みつき、その装置を髪から取外そうとすると使用者の髪や使用者の指を傷つける可能性がある。例として米国特許No.5,196,429, 5,39,691, 5,996,593, 6,089,240, 6,257,249, 6,311,699に記述された髪保持装置を見てみよう。
【０００８】
したがって、利点はその装置の握り部が使用者の髪掴み部を固定するきつさや緩さの使用者が選択できる調整又は制御を可能にする手段を含む蝶番付き髪保持装置に存在する。
【０００９】
更なる利点は髪保持装置にあり、使用者の髪の回りにその装置を固定するために装置の蝶番軸から取外される固定物や締め付ける物に貢献する必要性を除去し、それにより使用者の髪に絡みつき、結果として使用者の髪や指を傷つける可能性を減少させる。
【特許文献１】米国特許No.2,201,719
【特許文献２】米国特許No.6,082,371
【特許文献３】米国特許No.5,196,429
【特許文献４】米国特許No.5,396,912
【特許文献５】米国特許No.5,996,593,
【特許文献６】米国特許No.6,089,240,
【特許文献７】米国特許No.6,257,249
【特許文献８】米国特許No.6,311,699
【特許文献９】米国特許仮出願No.60/442,205
【特許文献１０】米国特許仮出願No.60/444,926
【特許文献１１】米国特許仮出願No.60/472,953
【特許文献１２】米国特許仮出願No.60/486,485
【発明の開示】
【発明が解決しようとする課題】
【００１０】
先行技術の髪保持装置に対して、本発明の髪保持装置はその装置が本体部材の髪掴み部の間でどのくらいのきつさや緩さで髪を固定するか使用者が影響及び/又は制御できるように設計されている。本発明は使用者に手でそれらの位置で一緒に内側に握られた後で、望まれる髪固定位置に蝶番接続髪掴み部材を留められるように機械的妨害、抵抗、又は摩擦のための方法や手段を与えることにより先行技術の欠点を克服できる。そうすることにより、本発明は髪をもっときつく、そしてより長い期間保つ改良した髪保持装置を提供する。本発明の全ての実施例の中で、各々が髪掴み部、及び、向かい合った本体部材が拡がった位置及び使用者が選択できる髪掴み位置の間で、蝶番軸の回りをお互いに関連して旋回させる蝶番連結手段から成る、向かい合う一対の本体部材からなる髪保持装置が提供される。
【課題を解決するための手段】
【００１１】
本発明によれば、髪掴み部が使用者により手でぎゅっと押される任意の地点（代表的に閉位置）に、髪保持装置の第一と第二部材の髪掴み部が留まることを可能にするように調整手段が提供されるのが好ましく、それにより使用者は滑らないで髪掴み部の間の一纏まりの髪を最適に固定する。調整手段は蝶番により同軸上に配列され、髪掴み部に増加する動作を伝えるように構成されており、掴み部材は集められた髪の回りで閉じているので、使用者は触覚と聴覚で、カチッと言う感じを経験する。又は、閉められる時に髪掴み部になめらかな連続的動作を与えるように構成されてもよい。
【００１２】
髪保持装置の第一、第二本体部材は使用者が髪掴み部を操作する指圧式ハンドル部を含んでも含まなくてよい。そして、捻り又は他の形式のばねは開位置又は閉位置に向かって髪掴み部を押圧するために与えられる。さらにその装置は使用者の髪から髪掴み部を解放する連結解放手段より成る。
【００１３】
本発明の他の詳細、目的及び利点は発明の前進を実施する望ましく記述される実施例と望ましい方法の以下の記述に従い明確になるであろう。
【発明を実施するための最良の形態】
【００１４】
この発明は添付の図面の中の例示のみで好ましい実施例の以下の記述からより明確になる。
【００１５】
図１で示されているのは蝶番ピン１６による旋回軸上に結合した一対の剛性本体部材１２と１４からなる典型的なバネ押圧保持装置であり、そのピンはその剛性部材により支持される共同接続取っ手１８と２０を通り抜けている。部材１２と１４はハンドル部３０と３２及びそれぞれ複数の噛み合う髪噛み合わせ指又は歯２６と２８で終止する髪保持装置掴み部２２と２４より成る。普段はねじりバネ３４は蝶番１６の回りに露出されている。その技術で既知の通り、ねじりバネは装置１０の組立上で圧縮応力が加えられ、両端の突き出しアームは部材１２、１４が図示された閉位置に来るようにハンドル部３０、３２に対して力を加える。
【００１６】
使用者が装置１０を付けたい時、使用者は内側にハンドル部３０，３２を押し又はひねって、描かれていないが開位置に向かって髪グリップ位置２２、２４と歯２６，２８を蝶番で離し髪の房を受ける。使用者がハンドル部３０，３２を離せば、ねじりバネ３４は本体部材１２，１４を内側に回転させ髪押さえ位置にさせ、そして、使用者の髪を髪掴み位置２２，２４とその歯２６，２８の内側に固定させる。
【００１７】
上述のように、装置１０を取り付けた後、使用者はその装置が髪の留めたい場所にしっかり固定されないということをしばしば発見する。したがって、しばしば使用者はお互い内側に向かい掴み部２２，２４をよりきつく締めようとする。これは使用者が望む髪固定効果を達成するために、髪掴み部とその歯が接近するようにして動かし、その中の掴まれた髪を圧縮する原因となる。しかしながら、髪掴み部２２，２４が離されると、圧縮された髪は使用者により加えらた髪掴み部の臨時の過圧縮に対抗して膨張力を加える。集められた髪による生み出される膨張力は髪掴み部を使用者が望む髪固定状態から元々の捻られる以前の状態に巻き戻させ、よれにより、その装置は簡単に使用者が望む髪固定位置から取外されるかもしれない。
【００１８】
図２から図５を参照すると、本発明に伴い組立てられた髪保持装置と摩擦型調整機構の第一実施例が見られる。参照番号１１０により一般的に特定されるその装置は蝶番ピン１１６により軸方向に接続された一対の剛性本体部材１１２と１１４から成り、蝶番ピンはその剛性部材により支持される共同接続接続取っ手１１８と１２０を通り抜ける。部材１１２、１１４はそれぞれ、ハンドル部１３０と１３２、複数の髪噛み合い指又は歯１２６と１２８を終結させる髪掴み部１２２と１２４から成る。参照番号１３４は蝶番ピン１１６の回りに配置される選択的な描かれていないが、ねじりバネを受け入れる隙間を表している。存在する場合、ねじりバネは装置１１０組立て上で圧縮応力が掛けられ、両端の突き出しアームはハンドル部１３０、１３２に対し、描かれた閉位置に部材１１２，１１４が来るように力を掛ける。
【００１９】
図２，図４と図５の中で参照番号１３６により概ね特定されるのは、本発明に従う摩擦型調整機構での第一実施例ある。この中で開示された本発明の精神と範囲内の全ての摩擦型調整機構及び同等な物は、関連する髪保持装置の蝶番手段に関して同軸上に配置され、その装置の髪掴み部が使用者により押し込められた位置に留まるように十分な摩擦力を生成する。そのような配列によりいくつかの利点が明白である。注意すべきは、髪保持装置は着用者の髪の上に確かに留まり、絡みにくくすることである。そして、蝶番と同軸上に調整手段を置くことで、小型で美的な組立て品が作り出されるかもしれない。
【００２０】
摩擦型調整機構１３６と以下に記述される他の物は「すべり摩擦機構」と呼ばれる。この中で使用されるように、「すべり摩擦機構」はラチェット及びすべり摩擦ディスククラッチ組立ての派生である。以下のように巻き髪やもじゃもじゃの髪について、髪掴み部１２２、１２４を漸進的に締めるために使用されるのはラチェットの派生であり、（摩擦クラッチのようでなく、この中で述べられる様々なすべり摩擦機構は事実上消極的であり、すなわち、それらは髪保持装置の全ての部品を操作するのに役立っていないが、）摩擦クラッチに掛けられたトルクが大きすぎる時、クラッチが滑るのと同様な方法で、着用者が髪掴み部１２２、１２４を押し込む位置は、調整機構１３６の摩擦力を越す回転力により打ち負かされる。本発明のすべり摩擦は第一本体部材を伴った第一表面（即ち、本体部材１１２）、第二部材を伴う第二表面（即ち、第二本体部材１１４）、及び第一、第二表面間の接触を維持するための押圧手段から成り、それにより、すべり摩擦境界面は第一、第二表面の間で作り出される。すべり摩擦境界面で作り出されるせん断力又は摩擦力は、使用者が滑り摩擦境界面で摩擦力又はせん断力を超す回転開力を掛ける事により、その装置を外すことを選択する時まで、その本体部材を使用者が望む選択された位置に留めさせるのに（ねじりバネ又は他の本体部材押圧装置がそこにあるかどうかに関わらず）全ての例の中で、十分に違いない。
【００２１】
この中で述べられる全摩擦製造要素は少なくとも一つの表面上の又は表面での摩擦を生成できるに違いない。摩擦を生成する手段は、例えば、荒っぽい表面、手触りの粗い表面、又はギザギザ又は鋸状の表面のような凹凸な表面を含んでも良い。付け加えると、歯状の摩擦生成手段の歯を付ける事は例えば鋸歯の設計のように、角度が同様であり、それにより圧縮した髪を固定するその発明に従う髪保持装置は、更に理想的な髪固定位置を維持することを、他方、使用者による開閉を簡単にする。その上、摩擦手段は髪保持装置本体部材の開閉位置間の回転する円弧に渡り、でたらめ、連続的、後退する又は前進するようなせん断力又は摩擦力を生成するように設計されていても良い。剛性でなく、例えば天然又は人造ゴムやゴムのような構成部品のエラストマーのような生来の摩擦生成特性を持つ摩擦生成要素として、その要素は着用者の髪の周りに髪保持装置をしっかり保持するために十分な摩擦力あるいはせん断力を生成するように適切に選択されても良い。
【００２２】
更に、この中に記述された本発明の実施例は蝶番に垂直に延びる摩擦境界面で構成されている。しかし、この発明はそれに限定されない。以下の記述のように、すべり摩擦又は非すべり摩擦のどちらかが蝶番手段に平行に延びるということが考えられる。例えば、他の本体部材により支持される円柱取っ手の中で受け入れられる一つの髪保持装置本体部材は（そして、好ましくは蝶番ピンとして働く）蝶番軸と同軸で延びるシャフトを含んでも良い。そのような配列で、シャフトの外側表面と取っ手の内側表面は凹凸な、摩擦の大きい、又は摩擦境界面の達成を妨げる、表面の組合せを持っていても良い。そのような境界面の表面接触力を維持し高めるために、軸又は取っ手は長手方向に割れ、他の軸又は取っ手はスリットの入った部材の上に圧縮応力を加えるように適当なサイズにされ、それにより妨げる部材は摩擦境界面で接触を維持する押圧手段として一緒に機能する。例えば、円柱状の取っ手は長手方向にスリットが入っており、軸は取っ手の穴に関係し、幾分半径方向に大きく、それにより、軸は取っ手の壁を僅かに拡張するように半径方向に外側に向かい膨張力を加える。逆に、軸は長手方向にスリットが入り、取っ手の穴は軸に関係して幾分サイズが小さく、それにより、取っ手はスリットが入った軸を僅かに閉めるために半径方向内側に向かう圧縮力を加える。
【００２３】
図３の拡大図を見ると、すべり摩擦調整機構１３６はその図に明確に示されたとおり、蝶番ピン１１５を受け入れる開口部１４０を持つ少なくとも一つの摩擦生成要素１３８から成る。摩擦生成要素１３８は剛性の板又はディスクの形状であり、それの表面１４４の少なくとも一部に設置された凹凸な表面１４２の形状の摩擦生成手段を含む。限定するわけではないが、凹凸表面１４２は歯のついた表面でも良い。凹凸表面は摩擦生成要素１３８の中に設置され、表面１４４に取り付けられる別の部材で与えられても良い。更に、髪保持装置それ自身の必須の構成部品から分離した摩擦生成要素は必要ではないとも考えられる。すなわち、蝶番ピン自身又はその装置の共同蝶番ピン受入れ取っ手のセットの片方又は両方は一体化した摩擦生成要素又は表面により与えられ、摩擦生成表面の間の許容差は非常に厳しいかタイトであり、構成要素自身の柔軟性は限られ、お互い接触して摩擦力生成表面を保持する押圧手段として働く。更に又、本発明に従う全ての記述の実施例は、髪保持装置の共同本体部材により支持される共同取っ手で受け入れられる蝶番ピンから成る蝶番手段を示しているが、本体部材はプラスチック材料から適当に選択され、それらの間に柔軟性のある継ぎ手を作り出すプラスチック成形工程の最中にお互いに繋げられ、それらは「生きている蝶番」と一般的に呼ばれる。その場合は、いかなる適当な摩擦生成要素は、それらが生きている蝶番の軸と一緒に同軸で延びている限り、その装置と同時に形成されるか、又は後で取り付けられる。
【００２４】
図４、図５を参照すると、すべり摩擦調整機構１３６はお互い接触している凹凸表面１４２を持って対面する関係である一対の摩擦精製要素１３８から好ましくは成るという事が分かる。要素１３８の接触面部分は第一、第二本体部材１１２，１１４に対応する取っ手１１８、１２０（図４、図５に図示されていないが）間に望ましくは挿入され、それらの蝶番ピン受入れ開口部は取っ手のそれと一直線になる。選択的にスラスト板又は当て板１４６は概ねU型金属バネクリップ押圧手段１４８の脚の軸圧縮力又は推進力を生じる取っ手の向かい合う面に加えられ、凹凸表面１４２の間で接触を維持する。取っ手と髪保持装置１１０自身と圧縮接触するバネクリップ１４８を効果的に維持するために、クリップの向かい合う脚は十分長く、蝶番ピン１１６を超して伸び、そのピンを受ける一直線に並んだ開口部を含む事が好ましい。
【００２５】
使用者が装置１１０を着用する場合、使用者はハンドル部１３０、１３２を一緒に内側にひねり、それにより、髪掴み部１２２、１２４と歯１２６，１２８を使用者の集めた髪の固まりを受け入れるため描かれていないが開位置に向かい旋回軸上に離す。そして、使用者は髪の固まりに対して望む髪掴み位置で髪掴み部１２２、１２４を握る。使用者がそうする時、使用者により加えられた力は、対面する不規則表面１４２により作り出されるすべり摩擦境界面で生成されるせん断力又は摩擦力に打ち勝つ。このように調整機構１３６は組立てられ、髪掴み部に徐々に増加する動作を与え、それにより、使用者は掴み部材が集めた髪の回りで閉められる時に、触覚及び/又は聴覚でカチカチという感覚を経験する。または、上記のように、すべり摩擦境界面の一箇所又は両方の接触面で、生来の高摩擦材料（例えば、天然又は人造ゴム又はゴムのような合成品）でなく概して滑らかな材料を使用したすべり摩擦調整機構が使用されても良い。その様に構成され、その調整機構は、それらがお互いに閉められるときに、髪掴み部１２２，１２４へ徐々に増加する動作よりむしろ滑らかで連続的動作を与える。どちらの場合も、髪クランプ位置が選択されると、すべり摩擦調整機構は、それらが開き、髪解放位置に達するまで使用者が再びハンドル部１３０，１３２を内側に押し付けることによりその装置を取りはずす事を選択するまで、集めた髪の膨張力に対する位置で髪保持装置を維持する。
【００２６】
図６から図８を参照すると、本発明に従って構成された髪保持装置と摩擦型調整機構の更なる実施例が示されている。その装置は参照番号２１０で表されているが、蝶番ピン２１６により枢軸上に接続された一対の剛性本体部材２１２と２１４より成り、そのピンはその剛性部材により支持される共同接続取っ手２１８、２２０を通り抜ける。部材２１２、２１４はそれぞれハンドル部２３０、２３２及び複数の噛み合う髪かみ合い指又は歯２２６、２２８を終止させる髪掴み部２２２、２２４から成る。ねじりバネ２３４は蝶番ピン２１６の回りに配置される。この技術で既知の通り、ねじりバネは組立装置２１０により圧縮応力が加えられ、両端の突き出しアームは部材２１２、２１４を図６で描かれた閉位置にさせるようにハンドル部２３０、２３２に対して力を加える。使用者は上記に記述された装置１１０と同様な方法で装置２１０の取り付け、取り外しを行なう。
【００２７】
図７の参照番号２３６から概ね特定されるのは、本発明に従う更に現在考えられている実施例である。調整機構２３６の構造と機能を明確に伝達するために、ある要素は破線や点線で表される。図６から図８に見られるように、接続取っ手２１８、２２０は軸方向に細長い。図８は少なくとも一つの細長い一対の取っ手２１８，２２０はそれぞれ軸受け２１８aと２２０aの位置を決めることを表す。この実施例によると、各軸受け２１８a、２２０aは円柱状のインサートの中に組立てた一対の摩擦生成要素の一つを受け入れる。直円柱であるように見られるが、軸受け２１８a、２２０a及びインサート２３８は直線及び/又は曲線状かもしれない。一つのインサート２３８は図９にて拡大され示される。その図でインサート２３８は蝶番ピン２１６を受け入れる開口部２４０を含んでいる事が分かる。インサート２３８は少なくとも一つの表面の一部に凹凸表面２４２の形状である摩擦生成手段を含む。実証として、しかしこれに限定しないが、凹凸表面２４２は歯のついた表面かもしれない。凹凸表面は摩擦生成要素２３８の中に作られるか、表面２４４に別々の部材として与えられるかもしれない。円柱の場合、対応する軸受け２１８a、２２０aに関連するそのインサートの回転を防止する手段２５０を含むことが好ましい。図示の通り、手段２５０は軸受け２１８a、２２０aの内側表面に備えられた一つ以上の対応して作られ配列された突起と噛み合う一つ以上のノッチでもよい。又、ノッチと突起の配置は逆でも良い。更に、インサート２３８とその関連する軸受け２１８a、２２０aは正円柱形状以外であれば、その共同の軸受けに対してインサートの回転を防止する補助的手段を必要としない。
【００２８】
図７は摩擦生成インサート２３８の凹凸表面２４２の間で接触を維持する押圧手段２４８を表す。この場合、押圧手段２４８はインサート２３８と軸受け２１８aの閉じた端に接する圧縮応力の掛かった状態の圧縮バネである。細長い取っ手２１８、２２０と関連する軸受け２１８a、２２０aは圧縮バネ２４８の位置と同じように逆でも良い（すなわち、取っ手２１８より取っ手２２０の中に位置してもよい）。同様に、取っ手２１８と２２０は圧縮バネ２４８を含んでも良い。そのうえ、一つの取っ手２１８又は２２０は圧縮バネ２４８とインサート２３８を含んでも良く、もうひとつの取っ手は凹凸で、摩擦生成をする表面に形成され、与えられる表面と一枚岩であっても良い。
【００２９】
この様に更に記述されるように、第一及び第二実施例の間の対比に見られるように、ねじりバネは自由選択である。従来型の髪保持装置のねじりバネは一般的に、理想的にその装置が髪を固定するには力不足であるが、本発明によるどのタイプの調整手段と組み合わせるねじりバネはそれができる。インスタント摩擦型調整手段は一塊の髪又はもじゃもじゃの髪をしっかり固定する髪保持装置を提供するためにねじりバネ又は全てのタイプの押圧手段の補助の力を作り出す。すなわち、摩擦生成手段はその装置の髪掴み手段の間で圧縮される時、髪により加えられる膨張力に打ち勝つために必要な付加的な力を供給する。よりよく髪を固定するために、十分なトルクを持つ力を持ったねじりバネ付きの髪保持装置を作ることは可能であるが、その様な装置は体力的に弱い人には開けられない。そして、やや普通の体力的強さを持つ他の人は、その装置の開閉は使用者の指を酷使させ、それにより、装置の有用性やアピールを減少させる。
【００３０】
本発明の髪保持装置は使用者がその装置を開けるのを促進するためのハンドルや他の手段を持っていてもなくてもよい。実際、上記の各々の実施例で、第一と第二本体部材は使用者がその装置を開けることを補助するハンドル部なしで組立てられる。仮にその様な開けるための補助がない場合、その装置の使用者は離す方向に第一部材と第二部材を手で引っ張る、てこで引っ張る等を行なう。しかし、上記に述べたようなハンドル部がない場合、本発明の髪保持装置は下記に述べられるような髪掴み位置からその装置を開けるための連結を解く手段が与えられる。
【００３１】
図１０と図１１を参照すると、それぞれ、全閉、全開位置にある本発明に伴って組立てられた髪保持装置と摩擦型調整機構の更なる実施例が示されている。その装置は参照番号３１０で示されるが、連結解放装置と摩擦型調整機構（以下に記述する）により旋回軸上に接続される一対の剛性本体部材３１２と３１４から成り、それはその剛性部材により支持される接続取っ手３１８と３２０を通り抜ける。部材３１２、３１４はそれぞれ、髪掴み部３２２と３２４から成り、複数のお互いに噛み合う髪噛み合い指３２６又は歯３２８で終結する。図１０と図１１のなかで参照番号３６０により概ね示されるのは、摩擦型調整機構を解放するように機能する現在考えられている実施例である。装置３１０の利点はそのバネは髪保持装置が髪を引っ掛けやすく、髪や手を傷つけやすい傾向があるねじりバネ又は他の押圧手段を覆い隠すという点である。
【００３２】
図１２Aから図１２Cは髪保持装置３１０の第一本体部材３１２を描いた図である。この実施例によれば、取っ手３２０は第一の比較的大きな直径部３８０と第二の比較的小さな直径部３８２を持つ細長い円柱として構成される。部分３８０と３８２は第二本体部材３１４と連結解放機構３６０と協力する軸受け及び他の開口部を持ち、それらは図１３から図１７において詳細が述べられる。もっと詳細に述べると、外側の端で、部分３８０は連結解放手段３６０（図１４から図１６）の第一作動装置３６４の広がったプッシュボタンヘッド３６２を滑りながら受け入れる第一軸受け３８４を持つ。第二軸受け３８６は部分３８０と部分３８２の中に備えられ、解放手段３６０の中央部を受け入れる。壁３８８は第一と第二軸受け３８４と３８６を分ける。図１２Bと図１２Cに見られるように、壁３８８は中央開口部３９０と半径方向に配置された開口部３９２を含む。図１７に描かれているように、中央開口部３９０は解放手段３６０の第一作動装置３６４の軸部を受入れ、半径方向に配列された開口部３９２は解放手段の引っ張りバネ３６８の第一端部３６６を受け入れる。取っ手３２０の部分３８２の露出端は上述の種類の中から選択される摩擦生成手段又は表面３９４で形成されても良い。又は、部分３８２は取っ手３２０の部分３８０の中で受け入れられる摩擦生成インサートとして組立てられる。
【００３３】
図１３Aから図１３Cにを参照すると、髪保持装置３１０の第二部材３１４の構成が見られる。取っ手３２０の部分３８０と同様に、取っ手３１８は解除装置３６０（図１４から図１６）の第二作動装置３６４の拡大されたプッシュボタンヘッドを滑って受け入れる第一軸受け３９６を持つ。第二軸受け３９８は（図１７の組立て装置）取っ手３２０の部分３８２を受け入れる取っ手３１８の中に備えられる。壁４００は第一、第二軸受け３９６と３９８を分ける。図１３Bと図１３Cの様に、壁４００は中央開口部４０２と半径方向に配置された開口部４０４を含む。図１７に見られるように、中央開口部４０２は解放装置３６０の第二作動装置３６４の軸部を受入れ、半径方向配置開口部４０４は解放装置の引っ張りバネ３６８の第二端３７０を受け入れる。壁４００の露出内側表面は上述の種類の中から選択される摩擦生成手段又は表面４０６で形成されても与えられても良い。代替として、取っ手３１８は軸受け３９８の中で受け入れられる摩擦生成インサートと一緒に備えられる。図１０から図１３の髪保持装置組立ての付加的な長所は、装置の押圧手段を完全に包み込む雄雌部材の共同を含めた人工のカバーが提供されるということである。
【００３４】
取っ手３２０の摩擦生成手表面３９４及び取っ手３１８の摩擦生成表面４０６は連結解放装置３６０によりお互い噛み合う時、高程度のせん断力を生成される。実際、取っ手３２０の摩擦生成表面３９４及び取っ手３１８の表面４０６は解放装置３６０を伴って、「非滑り摩擦機構」と言及される摩擦型調整機構１３６を作り出す。ここで使用される「非滑り摩擦機構」の用語はラチェットと非滑り摩擦ディスククラッチ機構を意味する。一塊の髪又はもじゃもじゃの髪について髪掴み部を積極的に強くするために使用されるラチェットの派生である。そして、非滑りディスククラッチ機構であり、着用者が髪掴み部３２２、３２４をぎゅっと押し込む位置は、（摩擦クラッチのようでなく、この中で記述される様々な非滑り摩擦機構は消極的であり、すなわち、髪保持装置の軸又は他の部品を操作しないが、）使用者により加えられる回転力により容易には変更できない。本発明による非滑り摩擦機構は第一本体部材（すなわち、本体部材３１２）に関連する第一表面、第二部材に関連する第二表面（すなわち、第二本体部材３１４）及び第一、第二表面間の接触を維持する押圧手段、それにより、非滑り摩擦境界面は第一、第二表面の間で作り出される。非滑り摩擦境界面で生成されるせん断力又は摩擦力は、使用者が以下のように解放手段３６０を使用し、それらを解放する事によりその装置を取外すことを選択する時まで、使用者により本体部材を選択された髪保持位置に保持させることが全ての事例の中で十分である。
【００３５】
図１４から図１６を参照すると、連結解放手段３６０の各作動装置部材３６４は同形状が好ましい。作動装置部材３６４は中央軸３７２の一端に配置された上述の広がったプッシュボタンヘッド３６２から成る。中央軸３７２の反対側端部に傾斜表面３７６を持つ作動装置シャフト３７４がある。図１５で明確であるように、作動装置軸の傾斜した表面は図１７に関連して記述されるように、向かい合った作動装置を導く相互的に機能するカム面をお互いに創造するように接触させる。各作動装置部材３６４はそれぞれの取っ手３１８、３２０の中で作動装置部材を保持するための壁３８８又は４００の内側面と噛み合う突起３７８が備えられる。完全に組み込まれた解放手段３６０は図１６に見られ、作動装置部材３６４は引っ張りバネ３６８の中に位置している。装置３１０の全体組立てとして、引っ張りバネ３６８の第一、第二端３６６と３７０は逆方向に圧縮応力が掛かっており、それによりトルクが引っ張りバネに導入され、髪掴み手段を図１１の開位置に動かし、取っ手３２０と３１８の摩擦生成表面３９４と４０６は図１７の様な堅固な接触である。
【００３６】
図１７に移ると、使用者の髪の周りの髪掴み部に、完全に組み立った髪保持装置３１０は見られる。その位置を得るために、使用者は望みのとおり一塊の髪を集め、引っ張りバネ３６８の圧縮されたトルクに対抗して髪の回りで装置の髪掴み部を押し込む。使用者が装置を離したい時、使用者は只、お互いに向かって内側にプッシュボタンを押し、それにより、作動装置軸３７４の先端は壁の内側面３８８と４００を押す。使用者がボタン３６２をぎゅっと押し続けると、取っ手３２０と３１８の摩擦生成表面３９４と４０６はお互い離れる。摩擦生成表面３９４と４０６の間に隙間が存在すると、使用者が髪の回りの髪掴み部３２２、３２４を内側にぎゅっと握る時のバネ３６８に生じるトルクは解放され、装置は図１１のような開位置に戻る。
【００３７】
摩擦生成手段３９４，４０６の間の非滑り摩擦境界面はそんなに大きくなく、使用者は連結解放手段３６０が働かない場合、髪掴み部３２２，３２４を手動で引き離すか、てこで離すことによりせん断力又は摩擦力に打ち勝つことができない。すなわち、非滑り摩擦境界面は上記の滑り摩擦境界面に比べ開きトルクに対して実質的に大きい抵抗を与え、開きトルクに対する抵抗は使用者が他の援助なしで髪掴み部を装置３１０を取りはずすことを妨害すべきではない。
【００３８】
使用者が使用するのが見苦しい及び/又は難しいと、又、連結解放手段３６０がその機能を除去すると考えたら、装置３１０はハンドルを提供されない。それにもかかわらず、装置１１０はある装着者が美的及び/又は機能的だと感じる場合、ハンドルを所有する。又は、装置３１０が取っ手３２０と３１８の摩擦生成表面３９４と４０６の間の非滑り摩擦境界面よりむしろ滑り摩擦境界面を持って与えられ、及び/又は連結解放手段３６０がない場合、ハンドルがあるのが望ましい。
【００３９】
本発明は前述のこの技術の中でよく知られている（あごクリップ、つめクリップ、蝶クリップ、ヘアクリップ、及びバナナクリップに限定しないが）その様な装置と同じように米国特許No.2,210,719, 5,396,912, 5,996,593, 6,082,371, 6,089,240, 6,257,249, 6,311,699の中で記述された物に限定しないが、それを含む髪保持装置の領域に適用する方法と手段を提供する。
【００４０】
本発明は例証の目的で細部に渡り記述されているが、その詳細は単にその目的のために過ぎず、その変化はこの中で請求された発明の精神や範囲から逸脱することなく当業者によりなされるという風に理解できる。
【図面の簡単な説明】
【００４１】
【図１】従来型蝶番式及びバネ押圧髪保持装置の斜視図。
【図２】全閉位置の本発明第一実施例における髪保持装置の斜視図。
【図３】本発明による髪保持装置の摩擦型調整手段第一実施例の構成部品の拡大斜視図。
【図４】旋回軸と本発明による髪保持装置の摩擦型調整手段第一実施例の構成部品の拡大斜視図。
【図５】旋回軸と図４の摩擦型調整手段組立ての正面部分切断図。
【図６】全閉位置の本発明における更なる実施例の髪保持装置の斜視図。
【図７】図６の髪保持装置の蝶番接続と摩擦型調整手段の拡大斜視の部分切断図。
【図８】図６の髪保持装置の分解組立図。
【図９】図６の髪保持装置における摩擦型調整手段の構成部品の拡大斜視図。
【図１０】全閉位置の本発明の更なる実施例に従う髪保持装置の斜視図。
【図１１】全開位置である図１０の髪保持装置の斜視図。
【図１２Ａ】本発明の更なる実施例に従う髪保持装置の第一本体部材の内側斜視図。
【図１２Ｂ】本発明の更なる実施例に従う髪保持装置の第一本体部材の端面図。
【図１２Ｃ】本発明の更なる実施例に従う髪保持装置の第一本体部材の内側正面図。
【図１３Ａ】本発明の更なる実施例に従う髪保持装置の第一本体部材の外側斜視図。
【図１３Ｂ】本発明の更なる実施例に従う髪保持装置の第一本体部材の端面図。
【図１３Ｃ】本発明の更なる実施例に従う髪保持装置の第一本体部材の外側正面図。
【図１４】図１０の髪保持装置における連結解除機構の構成部品の拡大側面図。
【図１５】図１０の髪保持装置における部分組立連結解除機構の側面図。
【図１６】図１０の髪保持装置の完全組立された連結解除機構の側面図。
【図１７】図１０の完全組立髪保持装置の部分切断側面図。
【図１】
0004629028.tif 000002
【図２】
0004629028.tif 000003
【図３】
0004629028.tif 000004
【図４】
0004629028.tif 000005
【図５】
0004629028.tif 000006
【図６】
0004629028.tif 000007
【図７】
0004629028.tif 000008
【図８】
0004629028.tif 000009
【図９】
0004629028.tif 000010
【図１０】
0004629028.tif 000011
【図１１】
0004629028.tif 000012
【図１２Ａ】
0004629028.tif 000013
【図１２Ｂ】
0004629028.tif 000014
【図１２Ｃ】
0004629028.tif 000015
【図１３Ａ】
0004629028.tif 000016
【図１３Ｂ】
0004629028.tif 000017
【図１３Ｃ】
0004629028.tif 000018
【図１４】
0004629028.tif 000019
【図１５】
0004629028.tif 000020
【図１６】
0004629028.tif 000021
【図１７】
0004629028.tif 000022